(57)【要約】【課題】回動部材を自由な角度で固定することに加えて、回動部材を特定角度へ素早く配置させるようにする。【解決手段】本体１に回動可能に取り付けられる回動部材５を回動させる回動装置であって、ユーザによる回動操作により回動部材５を所定の角度範囲内での自由な回動動作が可能で、ユーザによる回動操作が行なわれない状態では、回動部材５を所定の角度範囲内の角度で固定するヒンジ機構（ヒンジ軸１１・１３、皿バネ１７）と、ユーザによる回動操作とは異なる特定操作が行なわれた場合には、回動部材５を所定の角度範囲内の特定角度まで自動的に回動して固定する自動回動固定機構（オープンバネ２１、固定解除カム２３、スイッチ押しバネ２５及びプッシュスイッチ２７）と、を備える。【選択図】図１
2018050227.tif 000002
【特許請求の範囲】
【請求項１】
本体に回動可能に取り付けられる回動部材を回動させる回動装置であって、
ユーザによる回動操作により前記回動部材を所定の角度範囲内での自由な回動動作が可能で、前記ユーザによる回動操作が行なわれない状態では、前記回動部材を前記所定の角度範囲内の角度で固定するヒンジ機構と、
前記ユーザによる前記回動操作とは異なる特定操作が行なわれた場合には、前記回動部材を前記所定の角度範囲内の特定角度まで自動的に回動して固定する自動回動固定機構と、
を備えることを特徴とする回動装置。
【請求項２】
前記特定操作は第１の特定操作と第２の特定操作を含み、
前記自動回動固定機構は、
前記ユーザによる前記第１の特定操作が行なわれた場合は、前記回動部材を第１の角度まで自動的に回動して固定し、
前記ユーザによる前記第２の特定操作が行なわれた場合は、前記回動部材を前記第１の角度から前記第１の角度より広い角度の第２の角度まで自動的に回動して固定することを特徴とする請求項１に記載の回動装置。
【請求項３】
前記第１の特定操作は、プッシュスイッチを半分押す半押し操作であり、
前記第２の特定操作は、前記プッシュスイッチを全部押す全押し操作であることを特徴とする請求項２に記載の回動装置。
【請求項４】
前記自動回動固定機構は、
前記プッシュスイッチを押し方向と反対方向に付勢するスイッチ押しバネと、
前記本体に対し前記回動部材を回動方向に付勢するオープンバネと、
前記回動部材を、前記本体に重ねられた位置と、前記第１の角度と、前記第２の角度とに各々固定する固定機構と、
を備えることを特徴とする請求項３に記載の回動装置。
【請求項５】
前記自動回動固定機構は、
前記回動部材が前記本体に重ねられた位置で前記プッシュスイッチを半押し操作すると、前記固定機構による前記回動部材の固定を解除し、前記回動部材が前記第１の角度の位置で前記プッシュスイッチを全押し操作すると、前記固定機構による前記回動部材の固定を解除する固定解除カムを備えることを特徴とする請求項４に記載の回動装置。
【請求項６】
前記自動回動固定機構は、
前記プッシュスイッチの一部、前記スイッチ押しバネ、前記固定機構、及び固定解除カムを収容する筒状部を有する軸部材を備えることを特徴とする請求項５に記載の回動装置。
【請求項７】
前記自動回動固定機構は、
前記オープンバネの付勢により前記回動部材を前記本体に重ねられた位置から回動方向に押してオープンさせるオープン部材を備えることを特徴とする請求項４から６のいずれか一項に記載の回動装置。
【請求項８】
請求項１から７のいずれか一項に記載の回動装置を備えることを特徴とする電子機器。
【請求項９】
請求項１から７のいずれか一項に記載の回動装置を備え、
前記本体は、撮像部を有し、
前記回動部材は、表示ユニットであることを特徴とする撮像装置。
【発明の詳細な説明】
【技術分野】
【０００１】
本発明は、本体に回動可能に取り付けられる回動部材を回動させる回動装置と、その回動装置を備える電子機器、及び撮像装置に関する。
【背景技術】
【０００２】
特許文献１において、本体に対し回動可能に取り付けられる回動部材を備える電子機器が開示されている。
このような本体に対し回動部材を回動可能に取り付ける一般的なヒンジ機構では、そのヒンジ軸に一定なトルク荷重を与えることにより、回動部材を自由な角度で固定することを可能にしている。
【先行技術文献】
【特許文献】
【０００３】
【特許文献１】特開２０１５−１０２７０５号公報
【発明の概要】
【発明が解決しようとする課題】
【０００４】
しかし、従来のヒンジ機構では、回動部材を特定の角度へ素早く配置させることが困難であった。
【０００５】
本発明の課題は、回動部材を自由な角度で固定することに加えて、回動部材を特定角度へ素早く配置させるようにすることである。
【課題を解決するための手段】
【０００６】
以上の課題を解決するため、本発明は、
本体に回動可能に取り付けられる回動部材を回動させる回動装置であって、
ユーザによる回動操作により前記回動部材を所定の角度範囲内での自由な回動動作が可能で、前記ユーザによる回動操作が行なわれない状態では、前記回動部材を前記所定の角度範囲内の角度で固定するヒンジ機構と、
前記ユーザによる前記回動操作とは異なる特定操作が行なわれた場合には、前記回動部材を前記所定の角度範囲内の特定角度まで自動的に回動して固定する自動回動固定機構と、
を備えることを特徴とする。
【発明の効果】
【０００７】
本発明によれば、回動部材を特定角度へ素早く配置させることができる。
【図面の簡単な説明】
【０００８】
【図１】本発明を適用した電子機器の一実施形態の構成を示すもので、カメラの分解斜視図である。
【図２】カメラの側面図で、本体に可動部材を重ねた状態の図（ａ）、本体に対し可動部材を９０°開いた状態の図（ｂ）、さらに１８０°開いた状態の図（ｃ）である。
【図３】カメラを可動部材側から見た斜視図で、本体に可動部材を重ねた状態の図（ａ）、本体に対し可動部材を９０°開いた状態の図（ｂ）、さらに１８０°開いた状態の図（ｃ）である。
【図４】図３のヒンジボス部分の拡大図で、本体に可動部材を重ねた状態の図（ａ）、本体に対し可動部材を９０°開いた状態の図（ｂ）、さらに１８０°開いた状態の図（ｃ）である。
【図５】カメラを可動部材側から見た背面図（ａ）、その矢印Ａ−Ａ線に沿った拡大断面図（ｂ）で、９０°ロック解除時の図である。
【図６】カメラの上面図（ａ）、その矢印Ｂ−Ｂ線に沿った拡大断面図（ｂ）で、１８０°ロック解除時の図である。
【図７】図４のヒンジボス内部を反対側から見てカム案内溝を示した一部破断の拡大図で、本体に可動部材を重ねた状態の図（ａ）、本体に対し可動部材を９０°開いた状態の図（ｂ）、さらに１８０°開いた状態の図（ｃ）である。
【発明を実施するための形態】
【０００９】
以下、図を参照して本発明を実施するための形態を詳細に説明する。
（実施形態）
図１から図３は本発明を適用した電子機器の一実施形態の構成としてカメラを示すもので、１は本体、５は表示ユニット（可動部材）、７は押し上げプレート（オープン部材）、１１・１３はヒンジ軸、１５はスペーサ、１７は皿バネ、１９は中間軸、２１はオープンバネ、２３は固定解除カム、２５はスイッチ押しバネ、２７はプッシュスイッチである。
【００１０】
図示のように、本体１には、前面に撮像部である撮影レンズ部２が備えられて、後面上部に左右一対のヒンジボス３・４が備えられている。
この左右一対のヒンジボス３・４に可動部材である表示ユニット５と押し上げプレート７が各々のヒンジ軸１１・１３で本体１後面に対し回動可能に取り付けられている。
なお、表示ユニット５の長辺部の一辺に左右一対の突出片６が備えられて、この突出片６には円形孔６ａが形成されている。
また、本体１と表示ユニット５の間に、表示ユニット５をオープンさせるオープン部材である押し上げプレート７が設けられる。この押し上げプレート７の長辺部の一辺に左右一対の突出片８が備えられて、この突出片８には角形孔８ａが形成されている。
【００１１】
図示右側のヒンジボス３には、左側に開口する組み込み穴３ａにヒンジ軸１１の大径の筒状部１１ａを入れて、そのヒンジ軸１１の小径角形部１１ｂに、押し上げプレート７の突出片８を角形孔８ａで、スペーサ１５を角形孔１５ａで、表示ユニット５の突出片６を円形孔６ａで、皿バネ１７を角形孔１７ａで順次装着する。
【００１２】
図示左側のヒンジボス４には、右側に開口する組み込み穴４ａ（図５（ｂ）及び図６（ｂ）参照）にヒンジ軸１３の大径の筒状部１３ａを入れて、そのヒンジ軸１３の小径角形部１３ｂに、同様に、押し上げプレート７の突出片８を角形孔８ａで、スペーサ１５を角形孔１５ａで、表示ユニット５の突出片６を円形孔６ａで、皿バネ１７を角形孔１７ａで順次装着する。
【００１３】
そして、左右のヒンジ軸１１・１３の間には、中間軸１９を設け、この中間軸１９の両端面の角形孔（図略）に各々のヒンジ軸１１・１３の小径角形部１１ｂ・１３ｂの先端をそれぞれ挿入する。
これにより、表示ユニット５の突出片６と中間軸１９端面との間に皿バネ１７が圧縮状態となる。
【００１４】
このように、左右一対のヒンジ軸１１・１３及び皿バネ１７を備えるヒンジ機構は、従来と同様、ユーザによる回動操作により表示ユニット５の所定の角度範囲内での自由な回動動作が可能で、ユーザによる回動操作が行なわれない状態では、表示ユニット５を所定の角度範囲内の角度で固定できる。
すなわち、左右のヒンジ軸１１・１３の小径角形部１１ｂ・１３ｂに対し、表示ユニット５が突出片６の円形孔６ａで回転し、その際、表示ユニット５の突出片６と中間軸１９端面との間に圧縮状態の皿バネ１７による所定のトルクが発生し、表示ユニット５を自由な角度で固定できる。
【００１５】
なお、左右のヒンジ軸１１・１３は、その小径角形部１１ｂ・１３ｂに突出片８を角形孔８ａで装着した押し上げプレート７が回転すると、各々の筒状部１１ａ・１３ｂでヒンジボス３・４の組み込み穴３ａ・４ａ内をそれぞれ回転する。
【００１６】
そして、図２（ａ）及び図３（ａ）に示すように、本体１後面に表示ユニット５を重ねた状態から、９０°、１８０°オープンを行う時はプッシュスイッチ２７を半押し、全押し操作する。
すなわち、図２（ｂ）及び図３（ｂ）に示すように、プッシュスイッチ２７の半押し時に９０°オープン、図２（ｃ）及び図３（ｃ）に示すように、プッシュスイッチ２７の全押し時に１８０°オープンを可能としている。
【００１７】
このため、図示左側のヒンジボス４と押し上げプレート７の突出片８との間に、ねじりコイルバネによるオープンバネ２１を設けて、図４にも拡大して示すように、オープンバネ２１の一端を本体１後面に当接させて、オープンバネ２１の他端を押し上げプレート７の本体１に向かう面に当接させる。
【００１８】
そして、図１に示したように、ヒンジ軸１３の筒状部１３ａの内部に形成した円周方向に離間する複数本の軸線方向溝１４に固定解除カム２３のリブ２４が挿入されている。
固定解除カム２３は、外周に、ヒンジ軸１３の筒状部１３ａ内部の軸線方向溝１４に対応して軸線方向に沿った複数本のリブ２４を有していて、リブ２４は、図５（ｂ）及び図６（ｂ）に示すように、ヒンジボス４の組み込み穴４ａの奥方の軸線方向溝４１に位置している。軸線方向溝４１は、ヒンジボス４の他方の組み込み穴４ｃとの隔壁４ｄに、リブ２４に対応して複数本形成されており、リブ２４が位置している間は固定解除カム２３を固定状態に保持するストッパ溝として機能する。
【００１９】
すなわち、ヒンジボス４の隔壁４ｄの内周には、固定解除カム２３のリブ２４が案内されるカム案内溝４０が形成されている。カム案内溝４０は、軸線方向溝４１と、この軸線方向溝４１に続く空間を経て回転方向に９０°位置が異なる第１のストッパ端面４２（図７（ｂ）参照）と、この第１のストッパ端面４２に続く空間を経て回転方向にさらに９０°位置が異なる第２のストッパ端面４３（図７（ｃ）参照）とからなる。
【００２０】
また、図示左側のヒンジボス４には、左側に開口する組み込み穴４ｃにスイッチ押しバネ２５とプッシュスイッチ２７が組み込まれる。
すなわち、図５（ｂ）及び図６（ｂ）に示すように、組み込み穴４ｃにおいて、スイッチ押しバネ２５が、プッシュスイッチ２７の軸部２７ａの周囲に配置されて、ヒンジボス４内の隔壁４ｄとプッシュスイッチ２７の大径頭部２７ｃとの間に挟み込まれる。
【００２１】
プッシュスイッチ２７は、軸部２７ａをヒンジボス４内の隔壁４ｄのカム案内溝４０が開口する円形孔４ｅに挿入して、回転可能で軸方向にスライド可能となっている。
さらに、プッシュスイッチ２７の軸部２７ａから延びる小径部２７ｂを、固定解除カム２３内の円形孔２３ａに挿入する。
この時、軸部２７ａの端面を固定解除カム２３のリブ２４内周の端面２３ｂに突き当てて、小径部２７ｂの先端の溝にＥリング２８を装着して固定解除カム２３を抜け止めする。
【００２２】
ここで、ヒンジボス隔壁４ｄのカム案内溝４０の軸線方向溝４１にリブ２４が位置して、ヒンジ軸１３の軸線方向溝１４に固定解除カム２３のリブ２４が位置している状態で、固定解除カム２３に対しヒンジ軸１３が回転しない固定状態（ロック状態）に保持される。
従って、ヒンジボス４のカム案内溝４０の軸線方向溝４１、第１のストッパ面４２、及び第２のストッパ面４３とヒンジ軸１３の軸線方向溝１４と固定解除カム２３のリブ２４によって、表示ユニット５を、本体１に重ねられた位置と、オープンバネ２１の付勢により第１の角度（９０°）と、第２の角度（１８０°）とに各々固定する固定機構が構成される。
【００２３】
そして、プッシュスイッチ２７を押して、その軸部２７ａ端面が固定解除カム２３内の端面２３ｂを押して、リブ２４がカム案内溝４０の軸線方向溝４１を通過すると、固定解除カム２３に対するヒンジ軸１３の回転を許容するカム案内形状となっている。
すなわち、プッシュスイッチ２７の半押しでリブ２４がヒンジボス４の軸線方向溝４１からカム案内溝４０の軸線方向溝４１を通過すると、オープンバネ２１の付勢力を押し上げプレート７を経てヒンジ軸１３が９０°回転した時点で、図７（ｂ）に示すように、リブ２４が第１のストッパ端面４２に突き当たる。
さらに、プッシュスイッチ２７の全押しによりヒンジ軸１３が１８０°回転した時点で、図７（ｃ）に示すように、リブ２４が第２のストッパ端面４３に突き当たる。
【００２４】
以上のオープンバネ２１、固定解除カム２３、スイッチ押しバネ２５及びプッシュスイッチ２７により構成される自動回動固定機構の作用を次に説明する。
【００２５】
図２から図７の各（ａ）に示すように、スイッチ押しバネ２５でホーム位置にセットされているプッシュスイッチ２７を押すと、固定解除カム２３も押される。
そして、図２から図４、及び図７の各（ｂ）に示すように、プッシュスイッチ２７の半押し位置で９０°までの表示ユニット５のロックを解除する。
さらに、図２から図４、及び図７の各（ｃ）に示すように、プッシュスイッチ２７の全押し位置で１８０°までの表示ユニット５のロックを解除する。
【００２６】
すなわち、押し上げプレート７には、ねじりバネによるオープンバネ２１によって、常に表示ユニット５がオープンする方向へ荷重がかかっているため、プッシュスイッチ２７を押して、固定解除カム２３がロック解除した時、押し上げプレート７が表示ユニット５を押し上げてオープンする。
【００２７】
具体的には、プッシュスイッチ２７を半押しすると、図５（ｂ）に仮想線で示したように、軸部２７ａ端面が端面２３ｂで固定解除カム２３を押して、カム案内溝４０の軸線方向溝４１をリブ２４が通過して、ロックが解除され、図７（ｂ）に矢印で示したように、固定解除カム２３に対しヒンジ軸１３（筒状部１３ａ）が回転する。
このヒンジ軸１３の回転は、リブ２４が第１のストッパ端面４２に突き当たる９０°で止まる。
【００２８】
こうして、押し上げプレート７がオープンバネ２１の力で表示ユニット５を押し上げて、図２（ｂ）及び図３（ｂ）に示すように、表示ユニット５が９０°までオープン状態になる。
【００２９】
さらに、プッシュスイッチ２７を全押しすると、図６（ｂ）に仮想線で示したように、プッシュスイッチ２７の軸部２７ａ端面が端面２３ｂで固定解除カム２３を押して、カム案内溝４０において、リブ２４が第１のストッパ端面４２を通過して、ロックが解除され、図７（ｃ）に示したように、固定解除カム２３に対しヒンジ１３（筒状部１３ａ）が回転する。
このヒンジ軸１３の回転は、リブ２４が第２のストッパ端面４３に突き当たる１８０°で止まる。
【００３０】
このように、押し上げプレート７がオープンバネ２１の力で表示ユニット５をさらに押し上げて、図２（ｃ）及び図３（ｃ）に示すように、表示ユニット５が１８０°までオープン状態になる。
【００３１】
以上のとおり、自由な思い通りの操作機能と、ワンプッシュオープン機能の両方を持つ機構とによって、表示ユニット５を、自由な角度で固定して撮影可能な機構は変えずに、プッシュスイッチ２７によって、使用頻度の高い９０°、１８０°状態に簡単に素早く開くことができる。
【００３２】
なお、表示ユニット５は手動により自由な角度で固定でき、９０°状態や本体１後面に重ねる状態に戻せる。
また、プッシュスイッチ２７のスイッチ押しバネ２５の付勢によって、表示ユニット５の９０°状態や本体１後面に重ねる０°状態が保持される。すなわち、スイッチ押しバネ２５の付勢によって、リブ２４が第１のストッパ端面４２に突き当たる９０°状態が保たれて、リブ２４が軸線方向溝４１に位置する０°状態が保たれる。
【００３３】
以上、実施形態の表示ユニット５の回動装置を備えるカメラによれば、ヒンジ軸１１・１３及び皿バネ１７を備えるヒンジ機構により表示ユニット５を自由な角度で固定することに加えて、オープンバネ２１、固定解除カム２３、スイッチ押しバネ２５及びプッシュスイッチ２７により構成される自動回動固定機構を備えため、ユーザによる回動操作とは異なる特定操作が行なわれた場合には表示ユニット５を所定の角度まで自動的に回動して固定することができる。
すなわち、プッシュスイッチ２７を押して表示ユニット５を使用頻度の高い９０°、１８０°の特定角度へ素早く配置させることができる。
【００３４】
（変形例）
以上の実施形態においては、カメラとしたが、本発明はこれに限定されるものではなく、カメラを備える携帯電話など他の電子機器であってもよい。
また、実施形態では、押し上げプレートを設けたが、押上げプレートに限らず、他のオープン部材を設けてもよい。
さらに、本体、回動部材の形状、自動回動固定機構の構成等も任意であり、その他、具体的な細部構造等についても適宜に変更可能であることは勿論である。
例えば、９０°、１８０°に限らず、ストッパ端面（１４ｂ、１４ｃ）の数、位置を変更することにより、特定角度の数、角度を変えることも可能である。
また、以上の実施形態においては、オープンバネ２１の付勢により、表示ユニット５を特定角度（９０°、１８０°）へ素早く配置させたが、モータで角度設定を可能としてもよい。モータ使用時に、スイッチを押している時間に応じて角度を決定してもよい。
【００３５】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
本体に回動可能に取り付けられる回動部材を回動させる回動装置であって、
ユーザによる回動操作により前記回動部材を所定の角度範囲内での自由な回動動作が可能で、前記ユーザによる回動操作が行なわれない状態では、前記回動部材を前記所定の角度範囲内の角度で固定するヒンジ機構と、
前記ユーザによる前記回動操作とは異なる特定操作が行なわれた場合には、前記回動部材を前記所定の角度範囲内の特定角度まで自動的に回動して固定する自動回動固定機構と、
を備えることを特徴とする回動装置。
＜請求項２＞
前記特定操作は第１の特定操作と第２の特定操作を含み、
前記自動回動固定機構は、
前記ユーザによる前記第１の特定操作が行なわれた場合は、前記回動部材を第１の角度まで自動的に回動して固定し、
前記ユーザによる前記第２の特定操作が行なわれた場合は、前記回動部材を前記第１の角度から前記第１の角度より広い角度の第２の角度まで自動的に回動して固定することを特徴とする請求項１に記載の回動装置。
＜請求項３＞
前記第１の特定操作は、プッシュスイッチを半分押す半押し操作であり、
前記第２の特定操作は、前記プッシュスイッチを全部押す全押し操作であることを特徴とする請求項２に記載の回動装置。
＜請求項４＞
前記自動回動固定機構は、
前記プッシュスイッチを押し方向と反対方向に付勢するスイッチ押しバネと、
前記本体に対し前記回動部材を回動方向に付勢するオープンバネと、
前記回動部材を、前記本体に重ねられた位置と、前記第１の角度と、前記第２の角度とに各々固定する固定機構と、
を備えることを特徴とする請求項３に記載の回動装置。
＜請求項５＞
前記自動回動固定機構は、
前記回動部材が前記本体に重ねられた位置で前記プッシュスイッチを半押し操作すると、前記固定機構による前記回動部材の固定を解除し、前記回動部材が前記第１の角度の位置で前記プッシュスイッチを全押し操作すると、前記固定機構による前記回動部材の固定を解除する固定解除カムを備えることを特徴とする請求項４に記載の回動装置。
＜請求項６＞
前記自動回動固定機構は、
前記プッシュスイッチの一部、前記スイッチ押しバネ、前記固定機構、及び固定解除カムを収容する筒状部を有する軸部材を備えることを特徴とする請求項５に記載の回動装置。
＜請求項７＞
前記自動回動固定機構は、
前記オープンバネの付勢により前記回動部材を前記本体に重ねられた位置から回動方向に押してオープンさせるオープン部材を備えることを特徴とする請求項４から６のいずれか一項に記載の回動装置。
＜請求項８＞
請求項１から７のいずれか一項に記載の回動装置を備えることを特徴とする電子機器。
＜請求項９＞
請求項１から７のいずれか一項に記載の回動装置を備え、
前記本体は、撮像部を有し、
前記回動部材は、表示ユニットであることを特徴とする撮像装置。
【符号の説明】
【００３６】
１  本体
２  撮影レンズ部（撮像部）
３  ヒンジボス
３ａ  組み込み穴
４  ヒンジボス
４ａ  組み込み穴
４ｃ  組み込み穴
４ｄ  隔壁
４ｅ  円形孔
４０  カム案内溝
４１  軸線方向溝（ストッパ溝）
４２  第１のストッパ端面
４３  第２のストッパ端面
５  表示ユニット（可動部材）
６  突出片
６ａ  円形孔
７  押し上げプレート（オープン部材）
８  突出片
８ａ  角形孔
１１  ヒンジ軸
１１ａ  筒状部
１１ｂ  小径角形部
１３  ヒンジ軸
１３ａ  筒状部
１３ｂ  小径角形部
１４  軸線方向溝
１５  スペーサ
１５ａ  角形孔
１７  皿バネ
１７ａ  角形孔
１９  中間軸
２１  オープンバネ
２３  固定解除カム
２３ａ  円形孔
２３ｂ  端面
２４  リブ
２５  スイッチ押しバネ
２７  プッシュスイッチ
２７ａ  軸部
２７ｂ  小径部
２７ｃ  大径頭部
２８  Ｅリング
【図１】
2018050227.tif 000003
【図２】
2018050227.tif 000004
【図３】
2018050227.tif 000005
【図４】
2018050227.tif 000006
【図５】
2018050227.tif 000007
【図６】
2018050227.tif 000008
【図７】
2018050227.tif 000009